(57)【要約】  【課題】  建物の建て替えに際し、既存建物に使用された既存杭を、新築建物の杭として再利用できるかどうか、同杭の支持性能を確認するために実施する既存杭の鉛直載荷試験方法を提供する。  【解決手段】  試験対象の既存杭と既存建物の基礎躯体との縁を切る。既存杭の上方に、試験荷重の反力を既存建物から得ることが可能な構成でコンクリート反力体を構築する。既存杭の上端部にジャッキを設置し、ジャッキとコンクリート反力体とを繋ぎ、ジャッキにより既存杭に試験荷重を加えて支持性能を測定する。【選択図】  図３
2006052553.tif 000002
【特許請求の範囲】
【請求項１】
建物の建て替えに際し、既存建物に使用された既存杭を再利用するための鉛直載荷試験方法であって、
試験対象の既存杭と既存建物の基礎躯体との縁を切る工程と、
前記既存杭の上方に、試験荷重の反力を既存建物から得ることが可能な構成でコンクリート反力体を構築する工程と、
前記既存杭の上端部にジャッキを設置し、同ジャッキと前記コンクリート反力体とを繋ぎ、ジャッキにより既存杭に試験荷重を加えて支持性能を測定する工程と、
から成ることを特徴とする、既存杭の鉛直載荷試験方法。
【請求項２】
試験対象である既存杭の直上の基礎躯体を、前記既存杭の平面形状とほぼ同形にくり貫いて、既存杭と基礎躯体の縁を切ることを特徴とする、請求項１に記載した既存杭の鉛直載荷試験方法。
【請求項３】
コンクリート反力体は鉄筋コンクリート造又は鉄骨鉄筋コンクリート造若しくは鉄骨コンクリート造として構築することを特徴とする、請求項１に記載した既存杭の鉛直載荷試験方法。
【請求項４】
既存建物の柱・梁架構の柱間の前記梁の下方に位置する既存杭を載荷試験する場合のコンクリート反力体は、前記既存杭の上方に、前記柱・梁架構の柱間を繋ぐ反力壁を上下方向に単層又は複数層連続するように構築して、試験荷重の反力を既存建物から得ることを特徴とする、請求項１又は３に記載した既存杭の鉛直載荷試験方法。
【請求項５】
既存建物の柱・梁架構の柱間の前記梁の下方に位置する既存杭を載荷試験する場合のコンクリート反力体は、前記既存杭の上方に、前記梁から垂れ下がる反力柱又は反力梁を構築すると共に、同反力柱又は反力梁と一体的構造で、前記柱・梁架構の柱間を繋ぐ反力壁を上下方向に単層又は複数層連続するように構築して、試験荷重の反力を既存建物から得ることを特徴とする、請求項１又は３に記載した既存杭の鉛直載荷試験方法。
【請求項６】
平面的に見て柱・梁架構が矩形状又は台形状若しくは偏平形状に配置されており、その四隅部の柱の下方の位置からずれている既存杭を載荷試験する場合のコンクリート反力体は、前記既存杭の上方に、架構の柱間長さと略等しい長さの中央反力壁を梁に沿って構築し、更に、前記中央反力壁の両側に四隅部の柱間を繋ぐ外側反力壁をそれぞれ構築し、前記中央反力壁と外側反力壁とを一体化して反力壁ユニットとなし、同反力壁ユニットは上下方向に単層又は複数層連続するように構築して、試験荷重の反力を既存建物から得ることを特徴とする、請求項１又は３に記載した既存杭の鉛直載荷試験方法。
【請求項７】
平面的に見て柱・梁架構が矩形状又は台形状若しくは偏平形状に配置されており、その四隅部の柱の下方の位置からずれている既存杭を載荷試験する場合のコンクリート反力体は、前記既存杭の上方に、四隅部の柱間を対角線方向に繋ぐ反力壁をそれぞれ構築し、これらを一体化して反力壁ユニットとなし、同反力壁ユニットを単層又は複数層連続するように構築して、試験荷重の反力を既存建物から得ることを特徴とする、請求項１又は３に記載した既存杭の鉛直載荷試験方法。
【請求項８】
平面的に見て柱・梁架構が矩形状又は台形状若しくは偏平形状に配置されており、その四隅部の柱の下方の位置からずれている既存杭を載荷試験する場合のコンクリート反力体は、前記既存杭の直上の上階床下面又は上面若しくは双方の面に前記四隅部の４本の柱で囲まれた領域に反力スラブを構築して、試験荷重の反力を既存建物から得ることを特徴とする、請求項１又は３に記載した既存杭の鉛直載荷試験方法。
【請求項９】
反力壁又は反力壁ユニット若しくは反力柱は既存建物から所定の試験荷重の反力をとることが可能な高さまで、上下方向に単層又は複数層連続するように構築することを特徴とする、請求項４〜８のいずれか一に記載した既存杭の鉛直載荷試験方法。
【請求項１０】
周辺の架構にも反力壁を構築し、コンクリート反力体の一部とすることを特徴とする、請求項１又は請求項３〜８のいずれか一に記載した既存杭の鉛直載荷試験方法。
【請求項１１】
周辺の架構にブレースを構築し、コンクリート反力体を補強することを特徴とする、請求項１又は請求項３〜８のいずれか一に記載した既存杭の鉛直載荷試験方法。
【請求項１２】
コンクリート反力体は新築建物の本設躯体として利用することを特徴とする、請求項１又は請求項３〜８若しくは請求項１０、１１のいずれか一に記載した既存杭の鉛直載荷試験方法。
【発明の詳細な説明】
【技術分野】
【０００１】
この発明は、建物の建て替えに際し、既存建物に使用された既存杭を、新築建物の杭として再利用できるかどうか、同杭の支持性能を確認するために実施する既存杭の鉛直載荷試験方法（以下、単に載荷試験方法という場合がある。）の技術分野に属し、更に云うと、既存建物に反力を得て載荷試験を実施する方法に関する。
【背景技術】
【０００２】
建物の建て替えに際し、既存建物に使用された既存杭を新築建物の杭として再利用して、工期の短縮やコストの削減等が図られている。この際、既存杭に載荷試験を実施し、同既存杭の支持性能を確認して、利用価値のある既存杭を再利用するが、解体前の既存建物を有効的に活用して、すなわち既存建物に反力を得て載荷試験を実施する技術が開発されている。
【０００３】
例えば、特許文献１の載荷試験方法は、既存建物における試験対象の既存杭の頭部を所定の高さで切断して基礎スラブと縁を切り、該縁を切った基礎スラブと上記既存杭の間にジャッキを設置し、前記基礎スラブに反力を得て載荷試験を実施している。
【特許文献１】特開平１１−２６４２４７号公報
【発明の開示】
【発明が解決しようとする課題】
【０００４】
特許文献１の載荷試験方法は、既存建物の基礎スラブに反力を得て載荷試験を実施しているので、既存杭に大きな試験荷重を加えることができない。
【０００５】
また、既存杭と基礎スラブとの間にジャッキを設置するスペースを確保するために、前記基礎スラブの下方の地盤を掘削するが、作業スペースの周囲に山留め壁等を構築する必要がある。また、掘削時に発生する掘削土の搬出や、載荷試験に用いるジャッキ等の試験装置を地下の作業スペースに搬入するのが大変で施工性が悪く、コストが嵩むなどの問題点を有する。
【０００６】
しかも、地下水位が高いと、試験装置が地下水に浸かってしまい、実施が困難になる問題点を有する。
【０００７】
本発明の目的は、既存杭の上方に位置する既存建物に剛強なコンクリート反力体を構築し、同コンクリート反力体に反力を得て、基礎躯体と縁を切った既存杭に載荷試験を実施することで、前記既存建物に反力を得て既存杭に大きな試験荷重を加えることができる、既存杭の鉛直載荷試験方法を提供することである。
【０００８】
本発明の目的は、既存建物の基礎躯体の上方で載荷試験を実施でき、施工性が良く、コストの削減にも寄与し、しかも地下水位に影響を受けない、既存杭の鉛直載荷試験方法を提供することである。
【課題を解決するための手段】
【０００９】
上記従来技術の課題を解決するための手段として、請求項１に記載した発明に係る既存杭の鉛直載荷試験方法は、
建物の建て替えに際し、既存建物に使用された既存杭を再利用するための鉛直載荷試験方法であって、
試験対象の既存杭と既存建物の基礎躯体との縁を切る工程と、
前記既存杭の上方に、試験荷重の反力を既存建物から得ることが可能な構成でコンクリート反力体を構築する工程と、
前記既存杭の上端部にジャッキを設置し、同ジャッキと前記コンクリート反力体とを繋ぎ、ジャッキにより既存杭に試験荷重を加えて支持性能を測定する工程と、
から成ることを特徴とする。
【００１０】
請求項２記載の発明は、請求項１に記載した既存杭の鉛直載荷試験方法において、
試験対象である既存杭の直上の基礎躯体を、前記既存杭の平面形状とほぼ同形にくり貫いて、既存杭と基礎躯体の縁を切ることを特徴とする。
【００１１】
請求項３記載の発明は、請求項１に記載した既存杭の鉛直載荷試験方法において、
コンクリート反力体は鉄筋コンクリート造又は鉄骨鉄筋コンクリート造若しくは鉄骨コンクリート造として構築することを特徴とする。
【００１２】
請求項４記載の発明は、請求項１又は３に記載した既存杭の鉛直載荷試験方法において、
既存建物の柱・梁架構の柱間の前記梁の下方に位置する既存杭を載荷試験する場合のコンクリート反力体は、前記既存杭の上方に、前記柱・梁架構の柱間を繋ぐ反力壁を上下方向に単層又は複数層連続するように構築して、試験荷重の反力を既存建物から得ることを特徴とする。
【００１３】
請求項５記載の発明は、請求項１又は３に記載した既存杭の鉛直載荷試験方法において、
既存建物の柱・梁架構の柱間の前記梁の下方に位置する既存杭を載荷試験する場合のコンクリート反力体は、前記既存杭の上方に、前記梁から垂れ下がる反力柱又は反力梁を構築すると共に、同反力柱又は反力梁と一体的構造で、前記柱・梁架構の柱間を繋ぐ反力壁を上下方向に単層又は複数層連続するように構築して、試験荷重の反力を既存建物から得ることを特徴とする。
【００１４】
請求項６記載の発明は、請求項１又は３に記載した既存杭の鉛直載荷試験方法において、
平面的に見て柱・梁架構が矩形状又は台形状若しくは偏平形状に配置されており、その四隅部の柱の下方の位置からずれている既存杭を載荷試験する場合のコンクリート反力体は、前記既存杭の上方に、架構の柱間長さと略等しい長さの中央反力壁を梁に沿って構築し、更に、前記中央反力壁の両側に四隅部の柱間を繋ぐ外側反力壁をそれぞれ構築し、前記中央反力壁と外側反力壁とを一体化して反力壁ユニットとなし、同反力壁ユニットは上下方向に単層又は複数層連続するように構築して、試験荷重の反力を既存建物から得ることを特徴とする。
【００１５】
請求項７記載の発明は、請求項１又は３に記載した既存杭の鉛直載荷試験方法において、
平面的に見て柱・梁架構が矩形状又は台形状若しくは偏平形状に配置されており、その四隅部の柱の下方の位置からずれている既存杭を載荷試験する場合のコンクリート反力体は、前記既存杭の上方に、四隅部の柱間を対角線方向に繋ぐ反力壁をそれぞれ構築し、これらを一体化して反力壁ユニットとなし、同反力壁ユニットを単層又は複数層連続するように構築して、試験荷重の反力を既存建物から得ることを特徴とする。
【００１６】
請求項８記載の発明は、請求項１又は３に記載した既存杭の鉛直載荷試験方法において、
平面的に見て柱・梁架構が矩形状又は台形状若しくは偏平形状に配置されており、その四隅部の柱の下方の位置からずれている既存杭を載荷試験する場合のコンクリート反力体は、前記既存杭の直上の上階床下面又は上面若しくは双方の面に前記四隅部の４本の柱で囲まれた領域に反力スラブを構築して、試験荷重の反力を既存建物から得ることを特徴とする。
【００１７】
請求項９記載の発明は、請求項４〜８のいずれか一に記載した既存杭の鉛直載荷試験方法において、
反力壁又は反力壁ユニット若しくは反力柱は既存建物から所定の試験荷重の反力をとることが可能な高さまで、上下方向に単層又は複数層連続するように構築することを特徴とする。
【００１８】
請求項１０記載の発明は、請求項１又は請求項３〜８のいずれか一に記載した既存杭の鉛直載荷試験方法において、
周辺の架構にも反力壁を構築し、コンクリート反力体の一部とすることを特徴とする。
【００１９】
請求項１１記載の発明は、請求項１又は請求項３〜８のいずれか一に記載した既存杭の鉛直載荷試験方法において、
周辺の架構にブレースを構築し、コンクリート反力体を補強することを特徴とする。
【００２０】
請求項１２記載の発明は、請求項１又は請求項３〜８若しくは請求項１０、１１のいずれか一に記載した既存杭の鉛直載荷試験方法において、
コンクリート反力体は新築建物の本設躯体として利用することを特徴とする。
【発明の効果】
【００２１】
本発明に係る既存杭の鉛直載荷試験方法は、既存杭の上方に位置する既存建物に剛強なコンクリート反力体を構築し、同コンクリート反力体に反力を得て、基礎躯体と縁を切った既存杭に載荷試験を実施するので、前記既存建物に反力を得て既存杭に大きな試験荷重を加えることができる。
【００２２】
既存建物の基礎躯体の上方で載荷試験を実施できるので、地盤を掘削する必要が無く、山留め壁等の構築やその他の付随作業を一切省略できる。また、掘削土が発生し搬出する必要がないし、載荷試験に用いるジャッキ等の試験装置の搬入、搬出が容易なので、施工性が良く、コストの削減にも寄与できる。しかも、地下水位に影響を受けない。
【発明を実施するための最良の形態】
【００２３】
試験対象の既存杭と既存建物の基礎躯体との縁を切る。前記既存杭の上方に、試験荷重の反力を既存建物から得ることが可能な構成でコンクリート反力体を構築する。前記既存杭の上端部にジャッキを設置し、同ジャッキと前記コンクリート反力体とを繋ぎ、ジャッキにより既存杭に試験荷重を加えて支持性能を測定する。
【実施例１】
【００２４】
請求項１〜４及び請求項９並びに請求項１２に記載した発明に係る既存杭の鉛直載荷試験方法の実施例を、図１〜図４に基づいて説明する。本発明の載荷試験方法は、建物の建て替えに際し、既存建物１に使用された既存杭２を再利用できるかどうか、同既存杭２の支持性能を確認するために実施される。
【００２５】
先ず、既存建物１の複数本の既存杭２…の中から、柱・梁架構（以下、単に架構と省略する。）３ａの左右の柱４と４の間の前記梁５の下方に位置する試験対象の既存杭（以下、試験杭と省略する。）２ａを選択する（図４を参照）。そして、図１に示すように試験杭２ａの直上部位の基礎躯体６を、上方からコアリング等の手段で前記試験杭２ａの平面形状とほぼ同形にくり貫いて、試験杭２ａと基礎躯体６との縁を切る（請求項２記載の発明）。
【００２６】
次に、図２に示すように、前記試験杭２ａの上方に試験荷重の反力を既存建物１から得ることが可能な構成でコンクリート反力体７を構築する。具体的には、試験杭２ａの上方に位置する複数層（但し、単層でも良い。）の架構３ａ、３ｂ、…の面内に、所定の大きさの反力を発現させるべく、剛強な鉄筋コンクリート造の反力壁８を上下方向に連続するように構築する（請求項９記載の発明）。本実施例では、試験杭２ａの直上の梁５を挟んで、下側の架構３ａに、同架構３ａの左右の柱４と４の間を繋ぐ反力壁８を、後に試験杭２ａの上端部にジャッキ９を設置できるスペース（高さ）を残して、上記梁５から垂れ下げて構築する。更に、上側の架構３ｂにも、同架構３ｂの左右の柱４と４の間を繋ぐ反力壁８を、前記梁５から立ち上げて構築する。その結果、既存建物１の柱４と梁５と反力壁８とが一体化されてコンクリート反力体７となり、既存建物１に反力を得て試験杭２ａに大きな試験荷重を加えることができる構成となる（請求項３及び４記載の発明）。しかも、具体的な図示は省略するが、前記コンクリート反力体７は、架構３ａ、３ｂの面内に鉄筋を配置し、型枠を組み上げ、コンクリートを打設するだけで形成することができ、特別に大型の部材（例えば反力桁など）を搬入し組み立てる必要がなく、施工性が良い。また、コンクリート反力体７を構築する際に、既存建物の什器、設備機器などによるスペースの制約を受けることが殆どないので適用範囲が広い。
【００２７】
最後に、図３に示すように、試験杭２ａの上端部（即ち、試験杭２ａと剛結状態でくり貫かれた基礎躯体６の上端部）にジャッキ９を設置し、同ジャッキ９の上端部と、コンクリート反力体７を構成する下位反力壁８の下端部とを繋ぎ、ジャッキ９により試験荷重を加えて支持性能を測定する。既存建物１の基礎躯体６の上方で載荷試験を実施できるので、地盤を掘削する必要が無く、山留め壁等の構築やその他の付随作業を一切省略できる。また、掘削土が発生し搬出する必要がないし、載荷試験に用いるジャッキ等の試験装置の搬入、搬出が容易なので、施工性が良く、コストの削減にも寄与できる。しかも、地下水位に影響を殆ど受けない。
【００２８】
その後、既存建物１を解体し、上記のように載荷試験を実施し支持性能を確認した既存杭２を、新築建物の杭として再利用するが、このとき、コンクリート反力体７を解体することなく、新築建物の本設躯体として利用すると経済的である（請求項１２記載の発明）。
【実施例２】
【００２９】
上記実施例１は、既存建物１の架構３ａ（３ｂ）を利用してコンクリート反力体７を構築しているが、図５に示すように基礎躯体６のピット部分６ａを利用してコンクリート反力体７を構築しても良い。この場合は、先ず試験杭２ａの上端部とフーチング６ｂとの縁を切る。そして、基礎躯体６のピット部分６ａから上方に連続するように反力壁８を、所定の試験荷重の反力を得ることが可能な高さまで構築する。最後に、試験杭２ａの上端部にジャッキ９を設置し、同ジャッキ９と下位反力壁８とを繋ぎ、ジャッキ９により試験杭２ａに試験荷重を加えて支持性能を測定する。
【実施例３】
【００３０】
上記実施例１及び実施例２は、図示の通り比較的柱４近傍にある既存杭２を試験杭２ａとして選択しているが、図６及び図７に示すように、架構３ａの左右の柱４と４の間の略中央に位置する既存杭２を試験杭２ａとして選択しても、略同様に実施できる。なお、図６に示す実施例は、図５と同様に、基礎躯体６のピット部分６ａを利用してコンクリート反力体７を構成している。
【実施例４】
【００３１】
上記実施例１〜実施例３は、コンクリート反力体７の下端部分を反力壁８で構成しているが、図８及び図９に示すように、試験杭２ａの直上の梁５から垂れ下がる鉄筋コンクリート造の反力柱１０（図示を省略するが、反力梁でも良い。）を構築し、コンクリート反力体７の下端部分を構成しても良い（請求項５記載の発明）。
なお、本実施例ではコンクリート反力体７の下端部分のみを反力柱１０又は反力梁で構成しているが、上下方向に単層又は複数層連続するように反力柱１０又は反力梁（結果として反力壁となる。）を構築しても良い（請求項９記載の発明）。
【実施例５】
【００３２】
上記実施例１〜実施例４は、既存建物１の架構３ａの左右の柱４と４の間において、梁５の下方に位置する既存杭２を試験杭２ａとして選択しているが、この限りでない。平面的に見て架構３ａ（３ｂ）が矩形状又は台形状若しくは偏平形状に配置されており、その四隅部の柱４の下方の位置からずれている既存杭２を試験杭２ａとして選択しても良い。ちなみに、本実施例では、図１０及び図１１に示すように、平面的に見て架構３ａ（３ｂ）が矩形状に配置されており、その四隅部の４本の柱４…を繋ぐ対角線ＡとＢの交点Ｃ下方に位置する既存杭２を試験杭２ａとして選択している。
【００３３】
その場合のコンクリート反力体７は、試験杭２ａの上方に、架構３ａ（３ｂ）の左右の柱４と４の間の長さと略等しい長さの鉄筋コンクリート造の中央反力壁１１を梁５に沿って（梁５と略同一平面上に）構築する。更に、前記中央反力壁１１の両側に四隅部の柱４と４の間を繋ぐ外側反力壁１２、１２をそれぞれ構築し、前記中央反力壁１１と外側反力壁１２、１２とを一体化して反力壁ユニット１３とする。この反力壁ユニット１３を、上下方向に単層又は複数層連続するように構築し、試験荷重の反力を既存建物１から得る構成とする（請求項６又は請求項９記載の発明）。
【実施例６】
【００３４】
また、平面的に見て架構３ａ（３ｂ）が矩形状又は台形状若しくは偏平形状に配置されており、その四隅部の柱４の下方の位置からずれている試験杭２ａを載荷試験する場合のコンクリート反力体７は、図１２に示すように、試験杭２ａの上方に、対角線Ａ方向に隣接する柱４と４の間を繋ぐ鉄筋コンクリート造の反力壁１４を構築し、更に対角線Ｂ方向に隣接する柱４と４の間を繋ぐ鉄筋コンクリート造の反力壁１５を構築し、これらを一体化して反力壁ユニット１６とする。この反力壁ユニット１６を、上下方向に単層又は複数層連続するように構築し、試験荷重の反力を既存建物１から得る構成としても良い（請求項７又は請求項９記載の発明）。
ちなみに、本実施例も、平面的に見て架構３ａ（３ｂ）が矩形状に配置されており、その四隅部の４本の柱４…を繋ぐ対角線ＡとＢの交点Ｃ下方に位置する既存杭２を試験杭２ａとして選択している。
【実施例７】
【００３５】
更に、平面的に見て架構３ａ（３ｂ）が矩形状又は台形状若しくは偏平形状に配置されており、その四隅部の柱４の下方の位置からずれている試験杭２ａを載荷試験する場合のコンクリート反力体７は、図１３及び図１４に示すように、試験杭２ａの直上の上階床１７下面に前記四隅部の４本の柱４…で囲まれた領域に下側の反力スラブ１８を構築する。更に前記上階床１７上面に同じく四隅部の４本の柱４…で囲まれた領域に上側の反力スラブ１９を構築して、試験荷重の反力を既存建物１から得る構成としても良い（請求項８記載の発明）。
なお、試験荷重の大きさを考慮して、下側の反力スラブ１８又は上側の反力スラブ１９のみを構築して反力を得ても良く、または上下方向に単層又は複数層連続するように反力スラブ（結果としてブロック状の反力壁となる。）を構築しても良い（請求項９記載の発明）。
【実施例８】
【００３６】
上記実施例１〜７のコンクリート反力体７は上下方向に並ぶ架構３ａ、３ｂに反力壁８などを構築し構成しているが、図１５に示すように、前記上下方向に並ぶ架構３ａ、３ｂの他に周辺の架構３ａ、３ｂにも反力壁２０を構築し構成しても良い（請求項１０記載の発明）。ちなみに、図１６に示すように、基礎躯体６の基礎スラブ６ｃを残して撤去することで反力壁８の高さを稼ぎ、大きな反力を確保できる構成とすると、上側の架構３ｂ…の反力壁８、２０を省略することができる場合がある。
【００３７】
また、図１７及び図１８に示すように、周辺の架構３ｂ（３ａでも可能）にブレース２１を構築し、コンクリート反力体７を補強した構成としても良い（請求項１１記載の発明）。
【実施例９】
【００３８】
上記実施例１〜実施例８のコンクリート反力体７は鉄筋コンクリート造としているが、鉄骨鉄筋コンクリート造又は鉄骨コンクリート造としても良い（請求項３記載の発明）。
【実施例１０】
【００３９】
なお、以上に本発明の実施例を説明したが、本発明はこうした実施例に何ら限定されるものではなく、本発明の要旨を逸脱しない範囲において、種々の形態で実施し得る。
【図面の簡単な説明】
【００４０】
【図１】実施例１の既存杭の鉛直載荷試験方法の手順を概念的に示した立面図である。
【図２】実施例１の既存杭の鉛直載荷試験方法の手順を概念的に示した立面図である。
【図３】実施例１の既存杭の鉛直載荷試験方法の手順を概念的に示した立面図である。
【図４】図３のＡ−Ａ矢視断面図である。
【図５】実施例２の既存杭の鉛直載荷試験方法で載荷試験を実施する直前の状態を概念的に示した立面図である。
【図６】実施例３の既存杭の鉛直載荷試験方法で載荷試験を実施する直前の状態を概念的に示した立面図である。
【図７】図６のＢ−Ｂ矢視断面図である。
【図８】実施例４の既存杭の鉛直載荷試験方法で載荷試験を実施する直前の状態を概念的に示した立面図である。
【図９】図８のＣ−Ｃ矢視断面図である。
【図１０】実施例５の既存杭の鉛直載荷試験方法で載荷試験を実施する直前の状態を概念的に示した立面図である。
【図１１】図１０のＤ−Ｄ矢視断面図である。
【図１２】実施例６の既存杭の鉛直載荷試験方法におけるコンクリート反力体の形状を示した横断面図である。
【図１３】実施例７の既存杭の鉛直載荷試験方法で載荷試験を実施する直前の状態を概念的に示した立面図である。
【図１４】図１３のＥ−Ｅ矢視断面図である。
【図１５】実施例８の既存杭の鉛直載荷試験方法で載荷試験を実施する直前の状態を概念的に示した立面図である。
【図１６】図１５の異なる形態を示した立面図である。
【図１７】図１５の更に異なる形態を示した立面図である。
【図１８】図１５の更に異なる形態を示した立面図である。
【符号の説明】
【００４１】
１      既存建物
２      既存杭
２ａ    試験対象の既存杭（試験杭）
３ａ、３ｂ  架構
４      柱
５      梁
６      基礎躯体
７      コンクリート反力体
８      反力壁
９      ジャッキ
１０    反力柱
１１    中央反力壁
１２    外側反力壁
１３    反力壁ユニット
１４、１５  反力壁
１６    反力壁ユニット
１７    上階床
１８    下側の反力スラブ
１９    上側の反力スラブ
２０    反力壁
２１    ブレース
【図１】
2006052553.tif 000003
【図２】
2006052553.tif 000004
【図３】
2006052553.tif 000005
【図４】
2006052553.tif 000006
【図５】
2006052553.tif 000007
【図６】
2006052553.tif 000008
【図７】
2006052553.tif 000009
【図８】
2006052553.tif 000010
【図９】
2006052553.tif 000011
【図１０】
2006052553.tif 000012
【図１１】
2006052553.tif 000013
【図１２】
2006052553.tif 000014
【図１３】
2006052553.tif 000015
【図１４】
2006052553.tif 000016
【図１５】
2006052553.tif 000017
【図１６】
2006052553.tif 000018
【図１７】
2006052553.tif 000019
【図１８】
2006052553.tif 000020